(57)【要約】【課題】子供による動画音声視聴に対する長時間視聴や深夜視聴を抑制し、且つ子供による簡単な操作で視聴抑制を解除することをできなくすること。【解決手段】聴取する音声信号の低周波増幅器８と、低周波増幅器で増幅された音声信号に対して重畳されるモスキート音の発振器１３と、発振器の動作開始を制御するタイマ１４と、を少なくとも備えた音声再生装置であって、モスキート音の信号を音声信号に重畳させるか否かを設定するモスキート音設定の操作メニューを有し、重畳させると設定した場合に、聴取時間が所定時間に達したとき又は聴取時間が所定時刻に達したときに、タイマオンさせるタイマ設定の操作メニューを有する構成とする。音声の音量を調整する音量調整器９の前段側にて、音声信号に対してモスキート音の信号を重畳させる。【選択図】図１
2009065264.tif 000002
【特許請求の範囲】
【請求項１】
聴取する音声信号の低周波増幅器と、前記低周波増幅器で増幅された音声信号に対して重畳されるモスキート音の発振器と、前記発振器の動作開始を制御するタイマと、を少なくとも備えた音声再生装置であって、
前記モスキート音の信号を音声信号に重畳させるか否かを設定するモスキート音設定の操作メニューを有し、
前記重畳させると設定した場合に、聴取時間が所定時間に達したとき又は聴取時間が所定時刻に達したときに、タイマオンさせるタイマ設定の操作メニューを有する
ことを特徴とする音声再生装置。
【請求項２】
請求項１において、
音声の音量を調整する音量調整器の前段側にて、前記音声信号に対して前記モスキート音の信号を重畳させることを特徴とする音声再生装置。
【請求項３】
請求項１または２に記載された音声再生装置を備え、動画を表示出力するテレビ、プレーヤまたはゲーム機を含む動画音声再生装置。
【請求項４】
聴取する音声信号の低周波増幅器と、前記低周波増幅器で増幅された音声信号に対して重畳されるモスキート音の発振器と、前記発振器の動作開始を制御するタイマと、を少なくとも備えて音声を再生する音声再生方法において、
操作メニューにて、前記モスキート音の信号を音声信号に重畳させるか否かを設定するモスキート音設定のステップと、
前記ステップで重畳させると設定した場合に、操作メニューにて、聴取時間が所定時間に達したとき又は聴取時間が所定時刻に達したときに、タイマオンさせるタイマ設定のステップと、からなる
ことを特徴とする音声再生方法。
【発明の詳細な説明】
【技術分野】
【０００１】
本発明は、子供がテレビやプレーヤ、ゲーム機等の動画音声再生装置を長時間視聴し、又は夜遅くまで視聴するのを抑制する抑制装置付きの音声再生装置に関する。
【背景技術】
【０００２】
子供がテレビやプレーヤ、ゲーム機を長時間視聴するといった弊害や、夜遅くまでの視聴で就寝時間が遅くなるといった弊害を防ぐために、従来、テレビ等の動画音声再生装置にオフタイマを取り付けて、大人がこのオフタイマをセットすることで、自動的に動画音声再生装置を不作動とすることが従来提案されている。
【０００３】
また、１７ｋＨｚという高周波数のブザー音を発する「モスキート」（商品名）とタイマとを組み合わせて動画音声再生装置に設置して、タイマ設定によって子供にとって耳障りな音を発生させ、テレビやプレーヤ、ゲーム機を視聴できなくなるようにすることが考えられている。
【発明の開示】
【発明が解決しようとする課題】
【０００４】
しかしながら、上述したオフタイマのセットによる動画音声再生装置の不作動については、子供が容易にオフタイマのセットを解除して視聴することができるために、初期の目的を達成できない。
【０００５】
また、１７ｋＨｚの周波数による音（モスキート音と云う）を発生する機器（モスキート（商品名））とタイマの組み合わせをテレビやゲーム機の近傍に外付けして設置する場合、タイマ設定でモスキート音が発生し、子供にとっては耳障りで不快にさせるが、モスキート音の発生源を除去してしまいたいと云う衝動に駆られて、外付けされたモスキート音発生機器を除去してしまい、これまた初期の目的を達成できない。
【０００６】
本発明の目的は、子供による動画音声視聴に対する長時間視聴や深夜視聴を抑制し、且つ子供による簡単な操作で視聴抑制を解除することをできなくする音声再生装置を提供することにある。
【課題を解決するための手段】
【０００７】
前記課題を解決するために、本発明は主として次のような構成を採用する。  
聴取する音声信号の低周波増幅器と、前記低周波増幅器で増幅された音声信号に対して重畳されるモスキート音の発振器と、前記発振器の動作開始を制御するタイマと、を少なくとも備えた音声再生装置であって、前記モスキート音の信号を音声信号に重畳させるか否かを設定するモスキート音設定の操作メニューを有し、前記重畳させると設定した場合に、聴取時間が所定時間に達したときに又は聴取時間が所定時刻に達したときに、タイマオンさせるタイマ設定の操作メニューを有する構成とする。また、前記音声再生装置において、音声の音量を調整する音量調整器の前段側にて、前記音声信号に対して前記モスキート音の信号を重畳させる構成とする。
【発明の効果】
【０００８】
本発明によれば、子供による動画音声視聴に対する長時間視聴や深夜視聴を抑制することができる。また、子供が簡単な操作で視聴抑制を解除することができないようにすることができる。
【０００９】
さらに、モスキート音と聴取する音声信号の音量を連動させることによって、子供が音量を著しく上げようとしなくなるため、騒音を回避することができる。
【発明を実施するための最良の形態】
【００１０】
本発明の実施形態に係る音声再生装置について以下説明する。そもそも、人間の可聴域は２０Ｈｚ〜２０ｋＨｚの音声であるが、年齢と共に高周波域が聴こえなくなってくる。子供や若者は高周波域も聴くことができるが、高周波音は聴取者を一般的に不快にさせる音である。ここで、１７ｋＨｚの周波数をモスキート音と呼び、年代による可聴域の差を利用した音声発生装置として、「モスキート」という商品がある。
【００１１】
モスキート（英国会社の商品名）は、１７ｋＨｚという高周波数のブザー音が流れる音響機器であり、この高周波数の音は、２０歳代後半以降の大人には全く聞こえないか聞こえても殆ど気にならないものであるが、それ以前の若者や子供にとっては耳障りな音である。このモスキート（商品名）の適用例として、店内に長く居座っている若者、又は迷惑行為をする若者を追い出し、排除する装置として単品で使用されている。
【００１２】
本発明の実施形態に係る音声再生装置は、テレビやプレーヤ、ゲーム機等の動画音声再生装置を子供が長時間視聴するという弊害、又は子供が夜遅くまでの視聴で就寝時間が遅くなるという弊害を防ぐために、モスキート音を利用しようとするものである。ここで、モスキート音とは、子供や若者には聴取できるが２０歳代後半以降の大人には聴取し難い、１７ｋＨｚを中心にしてその近傍の高周波音を指称する。また、本実施形態ではテレビの動画音声再生装置を取り上げて説明するが、本発明の特徴は、子供による長時間聴取や夜遅くまでの聴取を抑制することを意図してモスキート音を利用するものであるので、動画を表示出力する装置に限定されることはなく、一般的には音声の再生装置に適用可能なものである。
【００１３】
図１は本発明の実施形態に係る動画音声再生装置（例、テレビ）の全体構成を示すブロック図である。図２は本発明の実施形態に係る動画音声再生装置の動作手順を示すフローチャートである。図面において、１はアンテナ、２はチューナ、３は映像中間周波増幅器、４は映像検波器、５は受像管、６は音声中間周波増幅器、７はＦＭ検波器、８は低周波増幅器、９は音量調整器、１０は低周波電力増幅器、１１はスピーカ、１２は加算器、１３は１７ｋＨｚ発振器、１４はタイマ、をそれぞれ表す。
【００１４】
図１において、本実施形態に係る動画音声再生装置における音声信号ラインは、符号６〜符号１１までの回路構成であり、従来既知のものである。本実施形態では、この既知の音声信号ラインの低周波増幅器８と音量調整器９の中間経路に１７ｋＨｚ発振器１３から発生させたモスキート音信号を加算器１２で加える回路を装置に内蔵させて、受信した音声信号にモスキート音信号を重畳させたことを特徴とする。
【００１５】
１７ｋＨｚ発振器１３からのモスキート音信号は、音声付きの動画の視聴時間が所定時間（例、２時間）に達した場合、または、音声付きの動画の視聴時間が所定時刻（例、午後１１時）に達した場合に受信信号に重畳されるように、タイマ１４で設定する。タイマ１４機能によって１７ｋＨｚ発振器１３を動作オンさせてモスキート音信号を重畳させる。
【００１６】
次に、図１に示す本実施形態に係る動画音声再生装置の構成を基に、本実施形態の動作について敷衍して述べる。この動画音声再生装置の構成例であるテレビの場合、テレビの「操作メニュー」の中に「モスキート音設定」の選択ボタンを設ける。選択ボタンでモスキート音重畳のオン又はオフを任意に選択できる。次に、モスキート音重畳オンのときに、「タイマ設定」で例えば、２時間以上視聴するとタイマオンするように、または午後１１時に達するとタイマオンして１７ｋＨｚ発振器１３をオンさせるように設定する。
【００１７】
ここでは、タイマ１４で１７ｋＨｚ発振器１３をオン又はオフする動作を説明したが、これに限らず、要は、タイマと１７ｋＨｚ発振器との組み合わせによって、モスキート音信号を音声信号に重畳させるか否かが決定できるような組み合わせ構成であればよい。また、子供が大人の設定した条件を簡単に変更できないようにするために、操作メニューの設定又は設定の変更に当たってはパスワード入力を前提条件とするようにしてもよい。
【００１８】
図２を用いて、本実施形態の動作手順を再度説明すると、まずＳ１で、大人がテレビ電源のスイッチをオン操作して、子供による長時間視聴や深夜視聴を抑制するために、モスキート音重畳をオンするかしないかを大人が操作メニューで設定する（Ｓ２）。Ｓ２でオフ設定すれば、テレビ番組を試聴した後に子供は、視聴継続時間や深夜視聴に関係なく、任意に電源をオフしてテレビ番組の視聴を止めることとなる。
【００１９】
Ｓ２で大人が操作メニューでオン設定すれば、Ｓ３において、モスキート音を重畳させるために１７ｋＨｚ発振器１３を動作させるべくタイマ１４を時間設定する。ここで、大人によるタイマの時間設定は、継続して視聴している時間が長時間、例えば、２時間に達する場合に、モスキート音を重畳させるように設定できるように、または、視聴している時刻が夜遅く、例えば、午後１１時に達する場合に、モスキート音を重畳させるように設定できるようにする。
【００２０】
次に、子供がテレビ番組を試聴していて、タイマ設定による所定時間又は所定時刻に達すると、タイマ１４がオンしてモスキート音を番組音声に重畳させるように動作する（Ｓ５参照）。そうすると、子供は番組音声に対して、モスキート音による不快音の付加によってテレビ電源をオフするように促される。ここにおいて、ステップＳ２，Ｓ３，Ｓ４は大人が設定するが、子供がこの設定を解除できないように、Ｓ９に示すように、パスワードを入力した上で上述した大人による設定を行ってもよい。
【００２１】
図１に示すように、音量調整器９の前段にモスキート音信号を重畳させるようにすると、テレビの受信音量の騒音対策につながる。すなわち、モスキート音の重畳（混入）によって動画視聴が聴取し難くなったときに、子供が動画視聴の受信音量を上げようとして音量調整器を大に操作するとモスキート音もそれに連れて上がってしまい不快音となるので、音量調整器を著しく上げない。これにより、テレビの発する音声が大きいことによる騒音を回避することができる。また、モスキート音設定とタイマ設定の操作以前に上述したパスワード入力をインプットするのは必ずしも本発明の必須要件ではなく、モスキート音の重畳（混入）による不快音発生によって子供に視聴を終了するように促すことで、子供の自主性に訴えようとするものである。
【００２２】
さらに、単独のモスキート音発生装置とタイマとをテレビの近傍に設置する従来のものと、図１に示す本実施形態の構成（１７ｋＨｚ発振器とタイマをテレビの音声信号系統に内蔵させるもの）との対比（優劣）について説明する。モスキート音が単独装置から発生する従来のものに対しては、発生した時点で子供が単独設置のモスキート音発生装置をテレビ近傍から排除してしまう可能性があるが、本実施形態のものは排除できない。また、モスキート音がそれほど大きく聞こえない程度であれば、モスキート音を打ち消そうとしてテレビの番組音量を上げてしまう可能性があり、テレビ視聴音量による騒音を引き起こすが、本実施形態ではテレビの視聴音量を上げればモスキート音も連動して上がるので、上述したように音声ボリュームアップによる騒音とはなり得ない。また、本実施形態では、テレビの回路構成に対して、１７ｋＨｚ発振器やタイマが、内部構成として簡単に接続し易く、且つ子供が取り外し不可能なものである。さらに、１７ｋＨｚのような高周波音は小さなスピーカからでも出力できるため、テレビに付設されている小さなスピーカでも十分な出力を確保でき、スピーカが兼用の機能を果たしている（番組の音声聴取とモスキート音の報知）。
【００２３】
以上の説明では、音声信号系にモスキート音を重畳させる具体的な適用例として、テレビを取り上げて説明したが、これに限らず、テレビに接続されるプレーヤやゲーム機に１７ｋＨｚ発振器１３とタイマ１４（モスキート音信号を音声信号に対して適宜のタイミングで重畳機能を果たすもの）を内蔵させたものでもよい。この場合には、テレビにモスキート音重畳機能が備わっていなくても、プレーヤやゲーム機を再生したときに同様の機能を果たすことができる。
【図面の簡単な説明】
【００２４】
【図１】本発明の実施形態に係る動画音声再生装置（例、テレビ）の全体構成を示すブロック図である。
【図２】本発明の実施形態に係る動画音声再生装置の動作手順を示すフローチャートである。
【符号の説明】
【００２５】
１  アンテナ
２  チューナ
３  映像中間周波増幅器
４  映像検波器
５  受像管
６  音声中間周波増幅器
７  ＦＭ検波器
８  低周波増幅器
９  音量調整器
１０  低周波電力増幅器
１１  スピーカ
１２  加算器
１３  １７ｋＨｚ発振器
１４  タイマ
【図１】
2009065264.tif 000003
【図２】
2009065264.tif 000004